(57)【要約】      （修正有）【課題】構内案内や駅付近の施設案内等を表示する意匠パネルと、付近の施設等で行われているイベント、その他の情報を表示可能なディスプレイを備えた案内掲示器の保持構造を提供する。【解決手段】２つの透孔窓１ｂ、１ｃを横に並べた正面板１ａと、正面板１ａの上端縁及び下端縁の裏面に沿って設けた断面鉤型の上部レール４及び断面コ字型の下部レール５から成る枠体本体１が設けられ、一つの透孔窓１ｂに前面部を露出させた、表示内容が変更できない意匠パネルを上部レール４と下部レール５に上下端を嵌めて設け、他方の透孔窓１ｃに前面部を露出させた、表示内容の変更が可能なディスプレイを上部レール４と下部レール５に上下端を嵌めて設け、意匠パネルは四辺の少なくとも上下辺に型枠を被せて固定し、型枠の断面幅がディスプレイの上下縁の断面幅と同じ幅にした。【選択図】図４
0003232368.tif 000002
【実用新案登録請求の範囲】
【請求項１】
２つの透孔窓を横に並べた正面板と、正面板の上端縁及び下端縁の裏面に沿って設けた断面コ字型又は間隔をあけて複数の押さえ片を有する断面鉤型の上部レール及び下部レールから成なる枠体本体が設けられ、前記一つの透孔窓に前面部を露出させた、表示内容が変更できない意匠パネルを前記上部レールと下部レールに上下端を嵌めて設け、前記他方の透孔窓に前面部を露出させた、表示内容の変更が可能なディスプレイを前記上部レールと下部レールに上下端を嵌めて設け、前記意匠パネルは四辺の少なくとも上下辺に型枠を被せて固定し、当該型枠の断面幅が前記ディスプレイの上下縁の断面幅と同じ幅にしたことを特徴とする、意匠パネル付きディスプレイ案内掲示器の保持構造。
【請求項２】
前記意匠パネルの四辺に型枠が設けられ、当該各型枠の断面が意匠パネルを嵌め入れる第１溝とその脇に平行して第２溝を並べて設けた形状とし、各辺の型枠の両端を斜めに切り落として四辺を突き合わせると四角形となり、二つの辺の型枠を突合せた角部に、二つの辺の各型枠の第２溝に跨らせてＬ字型板を嵌め、当該第２溝の外側の型枠板とＬ字型板とをボルト止めして意匠パネルの四辺に型枠を固定したことを特徴とする、請求項１に記載の意匠パネル付きディスプレイ案内掲示器の保持構造。
【請求項３】
前記ディスプレイは、その四隅を枠体本体にボルトで止めて固定し、前記型枠付きの意匠パネルは、前記第２溝の開口縁に鉤型金具の一片を当て、前記鉤型金具の他の片を枠体本体にボルト止めして枠体本体に固定したことを特徴とする、請求項２に記載の意匠パネル付きディスプレイ案内掲示器の保持構造。
【考案の詳細な説明】
【技術分野】
【０００１】
この考案は、駅の構内やプラットフォームなどに設置され、構内案内や付近の施設案内を表示する意匠パネルと駅付近の施設等で行われているイベント、その他の情報をＬＥＤやＬＣＤを用いて表示内容の変更が可能なディスプレイとを備えた案内掲示器の保持構造に関するものである。
【背景技術】
【０００２】
駅の構内やプラットフォームなどに設置されている構内案内や付近の施設案内を表示するものは変更がないため掲示板に表示されている。また、駅付近の施設等で行われているイベント等は短期間の催し物のため、これらをＬＥＤやＬＣＤで表示内容の変更が可能な掲示器を使用している。これらは別々の表示器又は掲示器を用いている。
【０００３】
特許文献１のものは、駅構内などに設置され、列車の発車時刻や行き先その他の情報を表示内容の変更が可能なＬＥＤ（発光ダイオード）などの表示器を備えた案内表示装置である。
【先行技術文献】
【特許文献】
【０００４】
【特許文献１】特開２００１−５１６０９号公報
【考案の開示】
【考案が解決しようとする課題】
【０００５】
上記特許文献１のように、表示内容の変更が可能な案内表示器と構内案内や付近の施設等を案内表示する掲示板とが別々に設置されていると、表示器や表示板が多数駅構内やプラットフォームに吊り下げられることとなり、煩雑となり表示効果が落ち、乗客等には表示が視認しづらい。また、意匠パネルでの表示では不定期イベントなどに対応した案内情報の書き換えが容易にできない。
【０００６】
そこで、意匠パネルと表示内容の書き換え容易な装置を組み合わせた表示装置又は掲示器が必要である。構内案内等の意匠パネルとディスプレイを組み合わせることにより、頻繁に変わることのない施設や場所等の案内は意匠パネルに表示し、施設や場所で行われるイベントや大学等のオープンキャンパスの案内等はディスプレイで表示することで容易に表示の書き換えが可能となり、設置自由度の向上が見込まれる。
【０００７】
しかしながら、現在のディスプレイの装置筐体への取り付け方法はディスプレイの背面に取り付けた金具を前記筐体の金具に引っ掛ける構造のため、ディスプレイの厚みの２倍ほど、保持する構造に厚みを要してしまう。そして、保持する構造に厚みがあると掲示器の厚みも比例しておおきくなる。また、意匠パネルとディスプレイの厚みが異なるため、そのままでは保持できない。
【０００８】
この考案は、上記の点に着目し、構内案内や付近の施設の案内等を表示する意匠パネルと駅付近の施設で行われるイベント、その他の情報の表示内容の変更が可能なディスプレイを並べて支持でき、意匠パネルの取り換えが容易で、装置全体の厚みを薄くできる案内掲示器の保持構造を提供することを目的としたものである。
【課題を解決するための手段】
【０００９】
請求項１の考案は、２つの透孔窓を横に並べた正面板と、正面板の上端縁及び下端縁の裏面に沿って設けた断面コ字型又は間隔をあけて複数の押さえ片を外縁に有する断面鉤型の上部レール及び下部レールから成なる枠体本体が設けられ、前記一つの透孔窓に前面部を露出させた、表示内容が変更できない意匠パネルを前記上部レールと下部レールに上下端を嵌めて設け、前記他方の透孔窓に前面部を露出させた、表示内容の変更が可能なディスプレイを前記上部レールと下部レールに上下端を嵌めて設け、前記意匠パネルは四辺の少なくとも上下辺に型枠を被せて固定し、当該型枠の断面幅が前記ディスプレイの上下縁の断面幅と同じ幅にした、意匠パネル付きディスプレイ案内掲示器の保持構造とした。
【００１０】
また、請求項２の考案は、前記意匠パネルの四辺に型枠が設けられ、当該各型枠の断面が意匠パネルを嵌め入れる第１溝とその脇に平行して第２溝を並べて設けた形状とし、各辺の型枠の両端を斜めに切り落として四辺を突き合わせると四角形となり、二つの辺の型枠を突合せた角部に、二つの辺の各型枠の第２溝に跨らせてＬ字型板を嵌め、当該第２溝の外側の型枠板とＬ字型板とをボルト止めして意匠パネルの四辺に型枠を固定した、請求項１に記載の意匠パネル付きディスプレイ案内掲示器の保持構造とした。
【００１１】
また、請求項３の考案は、前記ディスプレイは、その四隅を枠体本体にボルトで止めて固定し、前記型枠付きの意匠パネルは、前記第２溝の開口縁に鉤型金具の一片を当て、前記鉤型金具の他の片を枠体本体にボルト止めして枠体本体に固定した、請求項２に記載の意匠パネル付きディスプレイ案内掲示器の保持構造とした。
【考案の効果】
【００１２】
請求項１の考案によれば、従来のディスプレイの背面に取り付けた金具を装置の筐体の金具に引っ掛ける方法をやめて、枠体本体に直接取り付けて保持することが出来、ディスプレイの上下縁の断面と、意匠パネルの上下縁の断面幅の大きさが異なっていても、意匠パネルの少なくとも上下縁に、型枠を取り付けるため、枠体本体の上下のレールを同じ幅で製造でき、枠体本体の製造が容易にできる。従って、一側に表示内容が変更できない意匠パネルを、他側に表示内容の変更が可能なディスプレイを配した案内掲示器の保持構造が容易に作成できる。また、このように意匠パネル及びディスプレイを上部及び下部レールに嵌める構造のため、意匠パネル及びディスプレイを容易に取り換えができる。
【００１３】
また、請求項２の考案によれば、扁平な意匠パネルのパネル本体を加工せずに、当該パネル本体の四辺に型枠を容易に取り付けることができる。また、四辺の型枠を容易に外すことができ、同じ型枠を用いて他のパネル本体に取り付けることもできる。
【００１４】
また、請求項３の考案によれば、意匠パネル及び型枠を傷つけずに、枠体本体に意匠パネルを固定することができる。従って、他の意匠パネルに取り換えることも容易である。
【図面の簡単な説明】
【００１５】
【図１】この考案の実施の形態例１の意匠パネル付きディスプレイ案内掲示器の保持構造の正面図である。
【図２】この考案の実施の形態例１の意匠パネル付きディスプレイ案内掲示器置の保持構造の、図１におけるＡ−Ａ拡大断面図である。
【図３】この考案の実施の形態例１の意匠パネル付きディスプレイ案内掲示器の保持構造の、図３におけるＢ−Ｂ拡大断面図である。
【図４】この考案の実施の形態例１の意匠パネル付きディスプレイ案内掲示器の保持構造の枠体本体の正面斜視図である。
【図５】この考案の実施の形態例１の意匠パネル付きディスプレイ案内掲示器の保持構造の枠体本体の裏面斜視図である。
【図６】この考案の実施の形態例１の意匠パネル付きディスプレイ案内掲示器の保持構造の枠体本体の正面図である。
【図７】この考案の実施の形態例１の意匠パネル付きディスプレイ案内掲示器の保持構造の枠体本体の端部の、図６におけるＣ−Ｃ断面図である。
【図８】この考案の実施の形態例１の意匠パネル付きディスプレイ案内掲示器の保持構造の枠体本体の中央部の、図６におけるＤ−Ｄ断面図である。
【図９】この考案の実施の形態例１の意匠パネル付きディスプレイ案内掲示器の保持構造の意匠パネルの分解正面図である。
【図１０】この考案の実施の形態例１の意匠パネル付きディスプレイ案内掲示器の保持構造の意匠パネルの正面図である。
【図１１】この考案の実施の形態例１の意匠パネル付きディスプレイ案内掲示器の保持構造の意匠パネルの一部断面図である。
【図１２】この考案の実施の形態例１の意匠パネル付きディスプレイ案内掲示器の保持構造のディスプレイと意匠パネルの取り付け構造を示す要部裏面斜視図である。
【図１３】この考案の実施の形態例１の意匠パネル付きディスプレイ案内掲示器の保持構造のディスプレイと意匠パネルの取り付け構造を示す要横断面図である。
【考案を実施するための形態】
【００１６】
（実施の形態例１）
この考案の実施の形態例１の意匠パネル付きディスプレイ案内掲示器の保持構造を図１〜図１２に基づいて説明する。
【００１７】
意匠パネル付きディスプレイ案内掲示器の保持構造は、図１に示すように、枠体本体１の左右の一方に構内案内や付近の施設の案内表示を記載した意匠パネル２を、他方に付近のイベント情報等の表示内容を変更可能なディスプレイ３を有する。
【００１８】
前記枠体本体１は横長の四角形から成る正面板１ａの左右に透孔窓１ｂ、１ｃを夫々穿設している。また、図２及び図３に示すように、正面板１ａの上縁に沿って、正面板１ａの裏面に突出した断面鉤型の上部レール４、及び下縁に沿って、正面板１の裏面に突出した断面上向きコ字型の下部レール５を有している。また、上部レール４の両端及び中央部には、上部レール４の後縁（外縁）から複数の押さえ片６を垂下させている。
【００１９】
これらの上部レール４と下部レール５に自体の上縁及び下縁を嵌めて上記意匠パネル２及びディスプレイ３が夫々設けられており、これらの意匠パネル２及びディスプレイ３は上部レール４及び下部レール５に沿って摺動自在である。
【００２０】
また、前記正面板１ａの上縁及び下縁を延長させて断面鉤型の上部支持固定片７及び下部支持固定片８が正面板１ａと一体に設けられている。これらの上部支持固定片７及び下部支持固定片８は、当該案内掲示器を後ろの嵌め込み筐体（図示省略）の嵌合部に嵌め込んだ際に、嵌合部内周板とビス止めするためのものである。
【００２１】
また、前記意匠パネル２は、図９に示すように、パネル本体９と型枠１０とＬ型継ぎ手板１１から構成されている。前記型枠１０は、図１１に示すように、第１溝１０ａ及び第２溝１０ｂが並んで設けられている。また、図９に示すように型枠１０は上端が斜めに切り落とされ、四辺の型枠１０を合わせると、外郭縁が突き合わされた四辺形となる。
【００２２】
そして、パネル本体９の四辺に前記型枠１０を嵌める。この嵌合には型枠１０の第１溝１０ａにパネル本体９の外縁を嵌め、さらに、パネル本体９の角部の２つの型枠１０の各第２溝１０ｂに跨らせてＬ型継ぎ手板１１を入れ、型枠１０の外面から前記Ｌ型継ぎ手板１１までネジ１２を取り付け、これにより図１０に示す意匠パネル２が組み立てられる。なお、型枠１０の外面にはネジ１２の頭部が入る溝を予め作っておき、ネジ１２の頭部が型枠１０の外面から突出しないように構成している。
【００２３】
この意匠パネル２の外周縁の型枠１０の厚さは、前記ディスプレイ３の外縁の厚さと同じで、前記上部レール４及び下部レール５に嵌合できる大きさとなっている。
【００２４】
前記ディスプレイ３は、正面中央部を枠体本体１の透孔窓１ｂに露出させ、図１２及び図１３に示すように、透孔窓１ｂの周縁の下部レール５の外枠にビス１３で留める。このディスプレイ３の枠体本体１への固定は、ディスプレイ３の四隅をビス１３で留めて固定する。その際、前記上部レール４から垂下した押さえ板６にビス１３を止めることができる。
【００２５】
また、前記意匠パネル２は、その中央部を枠体本体１の透孔窓１ｃに露出させ、図１２及び図１３に示すように、型枠１０の第２溝１０ｂの開口縁に鉤型金具１４の一片を当て、他片を下部レール５の正面板にビス１３で留める。また、前記鉤型金具１４は、図示は省略したが、上部レール４から垂下した押さえ板６にビス１３で止め、これにより意匠パネル２は上下部で固定される。
【００２６】
特に、意匠パネル２についての枠体本体１への固定は、上述のように固定すると、意匠パネル２に孔等の傷を設けずに固定でき、意匠パネル２の再使用に便利である。
【００２７】
なお、上記実施の形態例１では上部レール４を断面鉤型とし、下部レール５を断面上向きコ字型としているが、これに限らず、上部レール４又は下部レール５は、間隔を開けて複数の押さえ片を外縁に設けた断面鉤型でも、断面下向きコ字型、断面上向きコ字型でもよい。また、上部支持固定片７及び下部支持固定片８の形状も、断面鉤型でなくてもよく、正面板１ａの上縁又は下縁の一部に設けてもよい。さらに、これらの上部支持固定片７又は下部支持固定片８はこの考案の必須要件ではない。
【００２８】
また、上記意匠パネル２の構成は、上記実施の形態例１ではパネル本体９、型枠１０及びＬ型継ぎ手板１１から構成されているが、これらの構成に限定されるわけではなく、パネル本体９に他の構成の型枠を設けたものでもよい。
【符号の説明】
【００２９】
１        枠体本体                  １ａ    正面板
１ｂ      透孔窓                    １ｃ    透孔窓
２        意匠パネル                ３      ディスプレイ
４        上部レール                ５      下部レール
６        押さえ片                  ７      上部支持固定片
８        下部支持固定片            ９      パネル本体
１０      型枠                      １０ａ  第１溝
１０ｂ    第２溝                    １１    Ｌ型継ぎ手板
１２      ネジ                      １３    ビス
１４      鉤型金具                    
【図１】
0003232368.tif 000003
【図２】
0003232368.tif 000004
【図３】
0003232368.tif 000005
【図４】
0003232368.tif 000006
【図５】
0003232368.tif 000007
【図６】
0003232368.tif 000008
【図７】
0003232368.tif 000009
【図８】
0003232368.tif 000010
【図９】
0003232368.tif 000011
【図１０】
0003232368.tif 000012
【図１１】
0003232368.tif 000013
【図１２】
0003232368.tif 000014
【図１３】
0003232368.tif 000015